(57)【要約】【課題】下枠と縦骨との間のシール性を確保しつつ下枠に固定される縦骨を有する建具を提供する。【解決手段】屋内外を連通する開口に設けられる下枠と、前記下枠に固定部材を介して固定される縦骨と、前記下枠上に設けられ前記縦骨の下端が当接されるシール材と、を有する建具であって、前記縦骨は、上下方向に連通する中空部を有し、前記固定部材は、前記中空部の外側にて前記下枠に固定される基部と、前記基部から立設されて前記中空部内に挿入され、前記中空部における前記基部側の第一壁部に固定される固定部と、前記固定部の上部から、前記第一壁部と対向する第二壁部に向かって延出された延出部と、を有する。【選択図】図６
2008261107.tif 000002
【特許請求の範囲】
【請求項１】
屋内外を連通する開口に設けられる下枠と、前記下枠に固定部材を介して固定される縦骨と、前記下枠上に設けられ前記縦骨の下端が当接されるシール材と、を有する建具であって、
前記縦骨は、上下方向に連通する中空部を有し、
前記固定部材は、前記中空部の外側にて前記下枠に固定される基部と、
前記基部から立設されて前記中空部内に挿入され、前記中空部における前記基部側の第一壁部に固定される固定部と、
前記固定部の上部から、前記第一壁部と対向する第二壁部に向かって延出された延出部と、を有することを特徴とする建具。
【請求項２】
請求項１に記載の建具であって、
前記延出部の前記第二壁部側の部位は、当該第二壁部と間隔を隔てて対向していることを特徴とする建具。
【請求項３】
請求項１または請求項２に記載の建具であって、
前記延出部は、前記第二壁部と交差する前記縦骨の壁部と対向する部位を有していることを特徴とする建具。
【請求項４】
請求項１乃至請求項３のいずれかに記載の建具であって、
前記下枠は、上方に開放された開放部を有する凹部を備え、
前記固定部材は、前記凹部に収容されて当該下枠に固定される下枠固定部材と、
前記下枠固定部材に前記開放部にて固定されるとともに、前記縦骨が固定される縦骨固定部材と、を有していることを特徴とする建具。
【請求項５】
請求項１乃至請求項３のいずれかに記載の建具であって、
前記下枠は、上方に開放された開放部を有する凹部を備え、
前記基部は、前記凹部に収容されて前記下枠に固定され、
前記固定部は前記開放部から上方に突出されていることを特徴とする建具。
【請求項６】
請求項４または請求項５に記載の建具であって、
前記凹部は、見付け方向に連通しており、
前記凹部に収容されて当該凹部を遮断する遮断部材を備え、
前記シール材の下面は、前記遮断部材の上面に当接されていることを特徴とする建具。
【発明の詳細な説明】
【技術分野】
【０００１】
本発明は、屋内外を連通する開口に設けられた下枠に縦骨が固定される建具に関する。
【背景技術】
【０００２】
屋内外を連通する開口に設けられた下枠に固定される縦骨としては、下枠との間に固定部材を介して固定される中空構造の縦骨（中間部材）が知られている。固定部材は、中空の縦骨の内側に収容され、縦骨が固定される取付片と下枠に固定される固定片とがほぼ直角をなすように一体に形成されている。また、下枠の上面と縦枠の下端との間にはシート状のシール材（パッキン）が介在されており、シール材は縦骨の全周に亘って介在されるように、縦骨内にて固定部材が固定されている部位を除き縦骨の下部とその内側の全域に設けられている。すなわち、シール材は、固定部材の固定片より僅かに大きく刳り貫かれている。（例えば、特許文献１参照）。
【特許文献１】特公平７−３１４３号公報
【発明の開示】
【発明が解決しようとする課題】
【０００３】
しかしながら、上記従来のシール材のように中央部が大きく刳り貫かれていると、シール材の形状が安定せず、シール材を素材から切り出す際や下枠に接着する際の撚れやゆがみ等により変形し易く、下枠と縦骨との間を確実にシールすることができない畏れがあるという課題がある。
【０００４】
本発明は、かかる課題に鑑みてなされたものであり、その目的とするところは、下枠と縦骨との間のシール性を確保しつつ下枠に固定される縦骨を有する建具を提供することにある。
【課題を解決するための手段】
【０００５】
かかる目的を達成するために本発明の建具は、屋内外を連通する開口に設けられる下枠と、前記下枠に固定部材を介して固定される縦骨と、前記下枠上に設けられ前記縦骨の下端が当接されるシール材と、を有する建具であって、前記縦骨は、上下方向に連通する中空部を有し、前記固定部材は、前記中空部の外側にて前記下枠に固定される基部と、前記基部から立設されて前記中空部内に挿入され、前記中空部における前記基部側の第一壁部に固定される固定部と、前記固定部の上部から、前記第一壁部と対向する第二壁部に向かって延出された延出部と、を有することを特徴とする建具である。
【０００６】
このような建具によれば、中空部が占有する面積内に固定部材が入り込む領域は、縦骨の下端が当接されるシール材の端部に限定され、その面積を小さくすることが可能である。このため、縦骨の下端に当接されるシール材の面積を大きく形成することが可能である。よって、適切に切断及び貼着されたシール材により高いシール性を確保することが可能である。
【０００７】
また、延出部が縦骨を取り付ける際のガイドとして機能するため、縦骨をシール材上の適切な位置に容易に配置することが可能である。また、縦骨がシール材上に適切に配置されるので、より高いシール性を確保することが可能である。
【０００８】
かかる建具であって、前記延出部の前記第二壁部側の部位は、当該第二壁部と間隔を隔てて対向していることが望ましい。  
このような建具によれば、延出部の第二壁部側の部位と第二壁部との間に間隙が設けられるので、容易に縦骨を配置することが可能である。
【０００９】
かかる建具であって、前記延出部は、前記第二壁部と交差する前記縦骨の壁部と対向する部位を有していることが望ましい。  
このような建具によれば、延出部が第二壁部と交差する縦骨の壁部と対向する部位を有しているので、第二壁部に沿う方向における縦骨の固定部材に対する位置が定められる。このため、縦骨をより配置しやすい建具を提供することが可能である。
【００１０】
かかる建具であって、前記下枠は、上方に開放された開放部を有する凹部を備え、前記固定部材は、前記凹部に収容されて当該下枠に固定される下枠固定部材と、前記下枠固定部材に前記開放部にて固定されるとともに、前記縦骨が固定される縦骨固定部材と、を有していることが望ましい。  
このような建具によれば、下枠の上方に開放された開放部を有する凹部に下枠固定部材を収容させて固定することにより、下枠の剛性を高めることが可能であり、さらに、下枠固定部材に縦骨固定部材を固定するので、縦骨を固定する縦骨固定部材を安定した状態に固定することが可能である。このため、縦骨を下枠に強固に固定することが可能である。
【００１１】
かかる建具であって、前記下枠は、上方に開放された開放部を有する凹部を備え、前記基部は、前記凹部に収容されて前記下枠に固定され、前記固定部は前記開放部から上方に突出されていることとしてもよい。  
このような建具によれば、基部が下枠の上方に開放された開放部を有する凹部に収容されて固定されるので、下枠の剛性が高められ、また、縦骨を固定するための固定部は基部と一体に設けられているので、基部を固定するだけで、固定部材を下枠に固定することが可能である。このため、縦骨を取り付ける際の工数を削減することが可能である。
【００１２】
かかる建具であって、前記凹部は、見付け方向に連通しており、前記凹部に収容されて当該凹部を遮断する遮断部材を備え、前記シール材の下面は、前記遮断部材の上面に当接されていることが望ましい。  
このような建具によれば、凹部内を分断する遮断部材の上面にシール材の下面が当接されているので、凹部内は遮断部材により、また、凹部より上の下枠と縦骨との間はシール材によりそれぞれシールされ、下枠と縦骨との接合部を確実にシールすることが可能である。
【発明の効果】
【００１３】
本発明によれば、下枠と縦骨との間のシール性を確保しつつ下枠に固定される縦骨を有する建具を提供することが可能である。
【発明を実施するための最良の形態】
【００１４】
以下、本発明の一実施形態に係る建具について図面を参照して説明する。  
本実施形態は、図１に示すような、建物の開口を部分的に閉塞し、ガラス３が嵌め付けられたＦＩＸ窓１０と、ＦＩＸ窓１０にて閉塞されない部分を閉塞可能に設けられた移動可能な障子５とを備えた建具としての窓ユニット１を例に挙げて説明する。以下の説明においては、窓ユニット１を屋外側から見たときに上下となる方向を上下方向、左右となる方向を左右方向または見付け方向、屋内外方向（奥行き方向）を見込み方向として示す。
【００１５】
本実施形態のＦＩＸ窓１０は、図１および図２に示すように、例えば屋内外を連通する開口に設けられた矩形状の枠体１１、ＦＩＸ窓１０にて閉塞される閉塞空間と障子５により閉塞される開閉空間とを仕切るための縦骨１７とに取り付けられる面材としてのガラス３、枠体１１および縦骨１７とともにガラス３を挟み、ガラス３の屋外側からガラス３を押さえるための押縁２０、を有している。本実施形態のガラスは、２枚のガラス板の周縁間にスペーサや封着剤を介在させて、互いに間隔を隔てて対面させた２層構造のガラス３を用いている。
【００１６】
本実施形態では、枠体１１を構成する上枠１２、下枠１３、左右の縦枠１４、１５のうち、上枠１２、下枠１３、左側に位置する縦枠（以下、左縦枠という）１４、および、上枠１２と下枠１３との間に設けられた縦骨１７とにより囲まれた空間が閉塞空間となり、上枠１２、下枠１３、左縦枠１４および、縦骨１７と４つの押縁２０とにてガラス３が保持されてＦＩＸ窓１０が構成されている。そして、枠体１１の見込み方向においてほぼ中央より屋外側の領域にＦＩＸ窓１０が設けられ、ほぼ中央より屋内側の領域は障子５が移動可能な領域となっている。
【００１７】
ＦＩＸ窓１０を構成する縦骨１７は、枠体１１の見込み方向中央より屋外側の領域であって、下枠１３が有する水平面１３ａ上に立設されている。  
下枠１３はアルミニウム製の押出成形部材であり、縦骨１７が立設されている下枠１３の水平面１３ａには、見付け方向に沿ってスリット１３ｂが設けられており、スリット１３ｂの下方には溝状の凹部１３ｃが形成されている。
【００１８】
具体的には、図３乃至図５に示すように凹部１３ｃは、溝の底をなし見付け方向に沿う底部１３ｄと、底部１３ｄの見込み方向における屋外側及び屋内側の縁部から上方に立設された屋外側壁部１３ｅ及び屋内側壁部１３ｆとを有している。屋外側壁部１３ｅの上端縁には屋内側に向かって延出された屋外側延出部１３ｇが、また、屋内側壁部１３ｆの上端縁には屋外側に向かって延出された屋内側延出部１３ｈが形成されている。そして、屋外側延出部１３ｇと屋内側延出部１３ｈとの上面が、縦骨１７が立設される水平面１３ａであり、屋外側延出部１３ｇの屋内側の縁部と屋内側延出部１３ｈの屋外側の縁部とによって形成されるスリット１３ｂが、凹部１３ｃの上方に開放された開放部である。
【００１９】
また、下枠１３の、縦骨１７が取り付けられる部位は、下側の押縁２０を嵌合するために上方に突出している爪部１３ｉが切り欠かれ、下側の押縁２０とともにガラス３を挟持するガラス保持部材１８が分断されている。また、スリット１３ｂの見込み方向の幅が一部、屋外側延出部１３ｇから屋内側延出部１３ｈまでの領域に広げられた拡幅部１３ｊが設けられている。
【００２０】
縦骨１７は、上下方向に連通する中空部１７ａを有するアルミニウム製の押出成形部材である。中空部１７ａは、左側の縦枠１４と対向する第一壁部としての左側部１７ｂと、左側部１７ｂと対向する第二壁部としての右側部１７ｅとを有している。
【００２１】
左側部１７ｂには、中空部１７ａ側に後述する縦骨固定部材３４の固定板部３４ｂが収容される収容凹部１７ｄが形成されている。収容凹部１７ｄは、見込み方向の幅が固定板部３４ｂの幅より僅かに大きく、左右見付け方向の幅が固定板部３４ｂの厚さより大きく中空部１７ａの内壁が外方に向かって凹設されており、左側部１７ｂの下部には縦骨１７を固定部材３０に固定するためのねじが貫通される貫通孔１７ｃが設けられている。
【００２２】
右側部１７ｅは、収容凹部１７ｄと対向する部位の見込み方向におけるほぼ半分の領域に、右側の縦枠１５側に巻き取り式網戸ユニットが設けられた際に、引き出された網戸の端部を保持するためのマグネットが収容されるマグネット収容部を備えている。このため、中空部１７ａ内には、収容凹部１７ｄと対向する部位の見込み方向におけるほぼ半分の領域が内方側に、水平断面がほぼ矩形状に突出された突出部１７ｆを有している。突出部１７ｆは、右側部１７ｅの外面と交差する方向（見付け方向）に沿う交差面１７ｇと、右側部１７ｅの外面とほぼ平行な方向（見込み方向）に沿う平行面１７ｈとを有している。
【００２３】
縦骨１７は、下枠１３の凹部１３ｃに見付け方向の端部側から挿入される下枠固定部材３２と、下枠１３の水平面１３ａ上に配置され下枠固定部材３２に固定される縦骨固定部材３４と、からなる固定部材３０により下枠１３に固定されている。また、縦骨１７が下枠１３に固定された状態では、拡幅部１３ｊ下の凹部１３ｃ内に、見付け方向に連通する凹部１３ｃ内を遮断するための遮断部材としてのスポンジ３６が下枠固定部材３２と隣接させて設けられている。また、下枠１３の水平面１３ａ上には、スポンジ３６と下枠固定部材３２とに跨るように配置され縦骨１７の下端が当接されるシール材としての止水シート３７が設けられている。
【００２４】
下枠固定部材３２は、スリット１３ｂ側に臨み縦骨固定部材３４が固定される座部３２ａと、座部３２ａの屋外側の縁部及び屋内側の縁部からそれぞれ垂設された脚部３２ｂ、３２ｃとを有している。座部３２ａは、見込み方向の幅が、凹部１３ｃの屋外側壁部１３ｅと屋内側壁部１３ｆとの間隔より僅かに小さく形成され、見込み方向の中央部に上方に突出した隆起部３２ｄが形成されている。隆起部３２ｄには縦骨固定部材３４を固定するためのねじ穴３２ｈが形成されている。隆起部３２ｄの見込み方向の幅は、スリット１３ｂの見込み方向の幅より僅かに小さく形成されている。このため、下枠固定部材３２が凹部１３ｃ内に収容された際には、屋外側の脚部３２ｂが屋外側壁部１３ｅと、屋内側の脚部３２ｃが屋内側壁部１３ｆとそれぞれ近接した位置にて対面される。また、脚部３２ｂ、３２ｃは凹部１３ｃの底部１３ｄと屋外側延出部１３ｇ及び屋内側延出部１３ｈの下面との間隔より僅かに小さく形成されており、下枠固定部材３２が凹部１３ｃ内に収容された際に、座部３２ａの上面が屋外側延出部１３ｇ及び屋内側延出部１３ｈの下面に近接され、隆起部３２ｄがスリット１３ｂに入り込むように構成されている。
【００２５】
このため、下枠固定部材３２を下枠１３の見付け方向の端部側から凹部１３ｃに挿入する際には、屋外側の脚部３２ｂと屋内側の脚部３２ｃとが屋外側壁部１３ｅと屋内側壁部１３ｆとの間に配置されることにより見込みが位置決めされ、屋外側及び屋内側の脚部３２ｂ、３２ｃが凹部１３ｃの底部１３ｄと屋外側延出部１３ｇ及び屋内側延出部１３ｈの下面との間に配置されることにより、上下方向が位置決めされる。すなわち、下枠固定部材３２が凹部１３ｃに挿入された状態で、座部３２ａの上面が屋外側延出部１３ｇ及び屋内側延出部１３ｈの下面と近接するとともに、座部３２ａ上面の隆起部３２ｄがスリット１３ｂに入り込む。このとき、隆起部３２ｄの頂面３２ｅが、屋外側延出部１３ｇ及び屋内側延出部１３ｈの上面より僅かに低くなるように（下方に没するように）隆起部３２ｄは形成されている。そして、下枠固定部材３２の右端３２ｆを拡幅部１３ｊの左側の縁部１３ｋに位置させることにより、下枠１３の屋外側壁部１３ｅに設けられた貫通孔１３ｌと、下枠固定部材３２の屋外側の脚部３２ｂに設けられたねじ穴３２ｇとがほぼ位置合わせされる。このため、下枠固定部材３２を、右端３２ｆが拡幅部１３ｊの左側の縁部１３ｋに位置するように配置させることにより、下枠固定部材３２を下枠１３に屋外側から容易にねじ止めすることが可能である。
【００２６】
縦骨固定部材３４は、スリット１３ｂを挟んで屋外側延出部１３ｇと屋内側延出部１３ｈに架け渡されるように配置される平板状の基部３４ａと、基部３４ａの長手方向における一方の端部から上方に向かって設けられた板状の固定部としての固定板部３４ｂと、固定板部３４ｂの上端にて見付け方向において基部３４ａとは反対側に延出された延出部３４ｃとを有している。
【００２７】
基部３４ａは、ほぼ長方形状をなし、短辺側の幅は屋外側延出部１３ｇと屋内側延出部１３ｈとの間に十分架け渡されるだけの幅を有し、下枠固定部材３２の隆起部３２ｄに設けられたねじ穴３２ｈに螺合されるねじが貫通される貫通孔３４ｄが長手方向（長辺方向）に並べて設けられている。
【００２８】
固定板部３４ｂは、ほぼ長方形状をなし、基部３４ａとほぼ直角をなすように形成されており、前述したように縦骨１７を取り付ける際に、縦骨１７の収容凹部１７ｄに収容される部位である。そして、短辺側の幅が、収容凹部１７ｄの見込み方向における幅より僅かに狭く形成されている。また、固定板部３４ｂには、縦骨１７の左側部１７ｂの内面と固定板部３４ｂの左側面とが当接された際に、左側部１７ｂに設けられた貫通孔１７ｃと重なる位置に、縦骨１７を固定するためのねじが螺合されるねじ穴３４ｅが形成されている。
【００２９】
延出部３４ｃは、固定板部３４ｂの上端部に設けられている。延出部３４ｃは、固定板部３４ｂとほぼ直角をなすように形成されている。延出部３４ｃは、固定板部３４ｂが縦骨１７の中空部１７ａ内に収容された際に、左側部１７ｂと対向する右側部１７ｅに向かって延出されており、延出された先端側には、縦骨１７の中空部１７ａ内に突出された突出部１７ｆと接触しないような切り欠き部３４ｆが設けられている。この切り欠き部３４ｆは、縦骨１７の突出部１７ｆが有する交差面１７ｇと僅かに間隔を隔てて対向する見込み方向対向部位３４ｇと、平行面１７ｈと僅かに間隔を隔てて対向する見付け方向対向部位３４ｈとを有している。
【００３０】
縦骨固定部材３４は、基部３４ａが縦骨１７の中空部１７ａの外側であって、当該中空部１７ａに対し見付け方向における左側に配置され、固定板部３４ｂが基部３４ａの右端に位置するように向けられるとともに固定板部３４ｂが中空部１７ａの収容凹部１７ｄに入り込むように配置される。そして、中空部１７ａの外側に配置された基部３４ａは、貫通孔３４ｄとスリット１３ｂを貫通するねじにて下枠固定部材３２に固定されている。本実施形態の場合には、縦骨１７の左側がＦＩＸ窓１０のガラス３が設けられる側であり、縦骨１７の右側が障子５を閉塞した状態において屋内空間側に位置する箇所である。つまり、縦骨１７の下端の右端側において水密性が保たれる領域の境界となっており、この境界の屋外側部分に基部３４ａが固定されている。
【００３１】
止水シート３７は、弾性を有する例えば軟質樹脂にて形成されたシート状の部材である。止水シート３７は、縦骨１７の下端にて水平断面がほぼ全域にて当接されるように、概ね縦骨１７の水平断面形状の外縁を簡略化した直線で表した形状に形成されている。具体的には、止水シート３７は、縦骨１７の中空部１７ａに固定部材３０が入り込む左側部１７ｂ側の領域及びその近傍を除いて、縦骨１７の下端が当接される領域及びその内側の領域に設けられている。
【００３２】
縦骨１７を下枠１３に固定する際には、まず、下枠１３の凹部１３ｃに見付け方向の端部から下枠固定部材３２を挿入して収容させておく。この状態で、下枠固定部材３２の座部３２ａの上面が屋外側延出部１３ｇ及び屋内側延出部１３ｈの下面と近接し、座部３２ａ上面の隆起部３２ｄがスリット１３ｂに入り込んでいる。
【００３３】
そして、下枠固定部材３２を、その右端３２ｆと拡幅部１３ｊの左側の縁部１３ｋとが揃う位置に配置する。このとき、屋外側壁部１３ｅに設けられた貫通孔１３ｌと屋外側の脚部３２ｂに設けられたねじ穴３２ｇとの位置が一致している。そして、屋外側壁部１３ｅを貫通するねじ２５を、貫通孔１３ｌを貫通させるとともにねじ穴３２ｇに螺合して、下枠１３に下枠固定部材３２を固定する。  
下枠１３に下枠固定部材３２を固定した後に、下枠１３の拡幅部１３ｊからスポンジ３６を凹部１３ｃ内に挿入し、下枠固定部材３２と隣接させてスポンジ３６を配置する。
【００３４】
次に、縦骨固定部材３４の基部３４ａを下枠固定部材３２の上方にて屋外側延出部１３ｇと屋内側延出部１３ｈに架け渡すように縦骨固定部材３４を配置し、上方から基部３４ａの貫通孔３４ｄを貫通させたねじを下枠固定部材３２の隆起部３２ｄに設けられたねじ穴３２ｈに螺合して縦骨固定部材３４を下枠固定部材３２に固定する。このとき、屋外側延出部１３ｇ及び屋内側延出部１３ｈ上に載置された状態で、基部３４ａの下面と隆起部３２ｄの頂面３２ｅとの間には僅かに間隙が設けられているが、ねじを締め込むことにより基部３４ａの下面と隆起部３２ｄの頂面３２ｅとの間隔が狭くなるように力が作用する。このため、縦骨固定部材３４と下枠固定部材３２との間に配置されている屋外側延出部１３ｇ及び屋内側延出部１３ｈは、縦骨固定部材３４と下枠固定部材３２とに挟持され、下枠１３、下枠固定部材３２、縦骨固定部材３４とが強固に固定される。特に、下枠１３は単体の状態では凹部１３ｃがスリット１３ｂを備え上方に開放された形状であり、大きな力が作用した場合には屋外側壁部１３ｅ及び屋内側壁部１３ｆが変形する畏れがあるが、屋外側延出部１３ｇ及び屋内側延出部１３ｈが縦骨固定部材３４と下枠固定部材３２とに挟持されることにより、開放部分が連結されて中空部材と同様の剛性を備えるようになる。また、下枠固定部材３２に対して縦骨固定部材３４を固定する際に、屋内側延出部１３ｈ及び屋外側延出部１３ｇに過度の力が作用して変形することがあっても、座部３２ａにおける隆起部３２ｄの頂面３２ｅが縦骨固定部材３４の下面に当接することで、屋内側延出部１３ｈ及び屋外側延出部１３ｇの変形量を抑えることができる。
【００３５】
その後、図６に示すように、下枠固定部材３２の縦骨固定部材３４と重なっていない部位とスポンジ３６との上に止水シート３７を配置する。このとき、止水シート３７は、縦骨固定部材３４の固定板部３４ｂ及び基部３４ａと接触してもよいし、接触しなくともよい。
【００３６】
既に固定されている縦骨固定部材３４の固定板部３４ｂ及び延出部３４ｃが縦骨１７の中空部１７ａ内に入るように縦骨１７を配置された止水シート３７上に上方から載置する。このとき、延出部３４ｃの見込み方向対向部位３４ｇを縦骨１７の交差面１７ｇと、延出部３４ｃの先端３４ｉと右側部１７ｅ内面と及び見付け方向対向部位３４ｈと縦骨１７の平行面１７ｈとが対向するように縦骨１７を載置することにより縦骨１７が位置決めされ、縦骨固定部材３４の固定板部３４ｂにおける見付け方向左側の面（延設部３４ｃの突出方向とは逆方向側の面）が、縦骨１７の左側部１７ｂの内面に当接される。そして、見付け方向左側から左側部１７ｂの貫通孔１７ｃを貫通させたねじを縦骨固定部材３４の固定板部３４ｂに設けられたねじ穴３４ｅに螺合して縦骨１７を縦骨固定部材３４に固定することにより、縦骨１７が下枠固定部材３２及び縦骨固定部材３４を介して下枠１３に強固に固定される。このとき止水シート３７は、縦骨１７の下端と接触している部位が押圧される。
【００３７】
このような窓ユニット１によれば、縦骨１７を固定するための縦骨固定部材３４は、下枠固定部材３２を介して下枠１３に固定される基部３４ａが、縦骨１７の中空部１７ａの外側にて固定されるとともに、基部３４ａから立設された固定板部３４ｂが、中空部１７ａの左側部１７ｂに固定されるので、中空部１７ａが占有する面積内に縦骨固定部材３４が入り込む領域は、縦骨１７の下端に当接される止水シート３７の左側端部に限定され、その面積を小さくすることが可能である。このため、縦骨１７の下端に当接される止水シート３７を刳り貫くことなく形成することが可能である。また、止水シート３７が刳り貫かれていないので、製造工程における切断の際や切断された止水シート３７が貼り付けられる際に、引っ張られたり撚れたりすることによる変形が抑えられ、適切に切断及び貼着された止水シート３７に縦骨１７の下端が当接されることにより高いシール性を確保することが可能である。また、縦骨固定部材３４が位置しない止水シート３７の右側端部において止水ラインの境界線を形成している為、その境界線に縦骨固定部材３４の取り付けが影響（干渉）することがなく、止水性を向上できる。
【００３８】
また、固定板部３４ｂ及び延出部３４ｃが縦骨１７を取り付ける際のガイドとして機能するため、縦骨１７を止水シート３７上の適切な位置に容易に配置することが可能である。また、縦骨１７が止水シート３７上に適切に配置されるので、より高いシール性を確保することが可能である。
【００３９】
また、延出部３４ｃの右側部１７ｅ側の部位と右側部１７ｅとの間、具体的には、縦骨１７の突出部１７ｆが有する交差面１７ｇ及び平行面１７ｈとの間、延出部３４ｃの先端３４ｉと右側部１７ｅ内面との間に間隙が設けられるので、縦骨１７の内面と延出部３４ｃとが接触することが抑えられ、容易に縦骨１７を配置することが可能である。
【００４０】
また、延出部３４ｃが右側部１７ｅと交差する縦骨１７の交差面１７ｇと対向する部位を有しているので、右側部１７ｅに沿う方向、すなわち見込み方向における縦骨１７の縦骨固定部材３４に対する位置が定められる。このため、縦骨１７をより配置しやすい窓ユニット１を提供することが可能である。
【００４１】
本実施形態では固定部材３０を、凹部１３ｃに収容されて下枠１３に固定される下枠固定部材３２と、下枠固定部材３２に固定されるとともに縦骨１７が固定される縦骨固定部材３４との二部材にて構成した。このため、下枠１３の上方に開放されたスリット１３ｂを有する凹部１３ｃに下枠固定部材３２を収容させて固定することにより、下枠１３の剛性を高めることが可能である。具体的には、縦骨１７が固定される縦骨固定部材３４は、下枠１３に収容される下枠固定部材３２に、屋外側延出部１３ｇと屋内側延出部１３ｈとを挟持して固定されるので、縦骨固定部材３４が下枠固定部材３２に固定されると、凹部１３ｃを形成する屋内側壁部１３ｆと屋外側壁部１３ｅとが繋がって、あたかも中空構造体のように剛性が高まる。特に、座部３２ａから上方に突出してスリット１３ｂに入り込む隆起部３２ｄの頂面３２ｅが屋内側延出部１３ｈ及び屋外側延出部１３ｇの上面より低いので、縦骨固定部材３４を下枠固定部材３２に固定すると、縦骨固定部材３４と下枠固定部材３２との間に介在されている屋内側延出部１３ｈ及び屋外側延出部１３ｇがより強固に挟持されることになる。このため、下枠１３と下枠固定部材３２及び縦骨固定部材３４とがより強固に固定され、縦骨固定部材３４に固定される縦骨１７をより強固に固定することが可能である。よって、縦骨１７を固定する縦骨固定部材３４を安定した状態に固定することが可能であり、縦骨１７を下枠１３に強固に固定することが可能である。
【００４２】
また、凹部１３ｃの内を分断するスポンジ３６に止水シート３７が当接されているので、凹部１３ｃ内はスポンジ３６により、また、凹部１３ｃより上の下枠１３と縦骨１７との間は止水シート３７によりシールされるので、下枠１３と縦骨１７との接合部を確実にシールすることが可能である。
【００４３】
本実施形態においては、固定部材３０を下枠固定部材３２と縦骨固定部材３４との二つの部材にて構成したが、図７に示すように上記下枠固定部材３２と縦骨固定部材３４とを一体としたような固定部材３８の隆起部３８ａの右端に固定板部３８ｂ及び延出部３８ｃを設けて一部材にて構成しても良い。この場合には、固定板部３８ｂの幅は、スリット１３ｂの幅より僅かに狭く形成し、固定部材３８を下枠１３の凹部１３ｃに見付け方向の端部から挿入するとともに、固定板部３８ｂをスリット１３ｂから上方に突出させる。
【００４４】
このような窓ユニット１によれば、上記実施形態の下枠固定部材３２に相当する基部３８ｄが下枠１３の上方に開放されたスリット１３ｂを有する凹部１３ｃに収容されて固定されるので、下枠１３の剛性が高められ、また、縦骨１７を固定するための固定板部３８ｂは基部３８ｄと一体に設けられているので、基部３８ｄを固定するだけで、固定部材３０を下枠１３に固定することが可能である。このため、縦骨１７を取り付ける際の工数を削減することが可能である。
【００４５】
本実施形態においては、下枠１３に縦骨１７を固定する際には、まず、下枠１３の凹部１３ｃに見付け方向の端部から下枠固定部材３２を挿入して収容させておき、下枠１３に下枠固定部材３２を固定した後に下枠１３の拡幅部１３ｊからスポンジ３６を凹部１３ｃ内に挿入し、下枠固定部材３２と隣接させてスポンジ３６を配置したが、これに限ることなく、下枠１３の拡幅部１３ｊからスポンジ３６を凹部１３ｃ内に挿入してスポンジ３６を配置した後、下枠１３の凹部１３ｃに見付け方向の端部から下枠固定部材３２を挿入してスポンジ３６と隣接させて収容させてから下枠固定部材３２を下枠１３に対して固定してもよい。このような場合、下枠１３に取り付けたスポンジ３６に下枠固定部材３２を当接するだけで下枠固定部材３２の左右方向（見付け方向）の位置決めが簡単にできるため、スポンジ３６に下枠固定部材３２を当接した後に下枠固定部材３２を下枠１３に対して固定すればよい。
【００４６】
本実施形態においては、ガラスを複層のガラスとしたが、これに限るものではなく、また、面材をガラスとしたが、面材はガラスに限るものではない。
【００４７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４８】
【図１】本実施形態に係る窓ユニットを屋外側からみた外観図である。
【図２】窓ユニットの縦断面図である。
【図３】下枠に縦骨を固定する構造を説明するための斜視図である。
【図４】下枠に固定部材が固定された状態を説明するための斜視図である。
【図５】下枠に縦骨が固定された状態を説明するための側面図である。
【図６】縦骨及び縦骨固定部材と止水シートとの配置を説明するための平面図である。
【図７】固定部材の変形例を示す斜視図である。
【符号の説明】
【００４９】
１  窓ユニット、
１３  下枠、１３ｂ  スリット、１３ｃ  凹部、
１７  縦骨、１７ａ  中空部、１７ｂ  左側部、１７ｅ  右側部、
３０  固定部材、３２  下枠固定部材、
３４  縦骨固定部材、３４ａ  基部、３４ｂ  固定板部、
３４ｃ  延出部、３４ｇ  見込み方向対向部位、３４ｉ  先端、
３６  スポンジ、３７  止水シート、
３８  固定部材、３８ｂ  固定板部、３８ｃ  延出部、３８ｄ  基部
【図１】
2008261107.tif 000003
【図２】
2008261107.tif 000004
【図３】
2008261107.tif 000005
【図４】
2008261107.tif 000006
【図５】
2008261107.tif 000007
【図６】
2008261107.tif 000008
【図７】
2008261107.tif 000009